(57)【要約】      （修正有）【課題】使用者の視覚方向に異なる色の光幕(Light Screen)を生じさせることが可能な光幕付ＬＥＤデイスプレイを提供すること。【解決手段】ＬＥＤデイスプレイ１０、光引導プレート３０及び少なくとも一つの投射光源４０を含む、光幕のあるＬＥＤデイスプレイ。光引導プレートはデイスプレイの表示面１２の前に配置され、それに投射光源は光線を光引導プレート内に投射できる。よって光線は光引導プレート内に反射でき、尚、光線が光引導プレートから透過する時に、光引導プレートが投射光源の光線色により、或いは光線色と表示面色との混合により、色のある光幕を形成できる。【選択図】図２
0003103224.tif 000002
【実用新案登録請求の範囲】
【請求項１】
ライト・ガイド・プレート付ＬＥＤデイスプレイにおいて、
ある側に表示面があり、文字と図形を提供するＬＥＤデイスプレイと、
光を通過でき、ＬＥＤデイスプレイの前に表示面と対向して設置される光引導プレートと、
発光部を有し、この発光部が前記光引導プレートに対応し、光線を光引導プレートへ投射できる少なくとも一つの投射光源とからなり、
投射光源の光線を光引導プレート内で反射させて光引導プレートを光幕にさせることにより多重光表示効果を生じさせるように構成したことを特徴とした、
ライト・ガイド・プレート付ＬＥＤデイスプレイ。
【請求項２】
請求項１に記載した光幕付ＬＥＤデイスプレイにおいて、投射光源はＬＥＤランプであることを特徴とする、ライト・ガイド・プレート付ＬＥＤデイスプレイ。
【請求項３】
請求項１に記載した光幕付ＬＥＤデイスプレイにおいて、投射光源はＳＭＤランプであることを特徴とする、ライト・ガイド・プレート付ＬＥＤデイスプレイ。
【請求項４】
請求項１に記載した光幕付ＬＥＤデイスプレイにおいて、ＬＥＤデイスプレイは回路ボード上に組み立てられ、投射光源が回路ボードと電気的に繋がることを特徴とする、ライト・ガイド・プレート付ＬＥＤデイスプレイ。
【請求項５】
請求項１に記載した光幕付ＬＥＤデイスプレイにおいて、ＬＥＤデイスプレイは回路ボード上に組み立てられ、投射光源が回路ボードに挿入されることを特徴とする、ライト・ガイド・プレート付ＬＥＤデイスプレイ。
【請求項６】
請求項１に記載した光幕付ＬＥＤデイスプレイにおいて、投射光源の発光部は光引導プレートのサイドと対応する位置に設置し、光線を光引導プレートのサイドから光引導プレートへ射出されるように構成したことを特徴とする、ライト・ガイド・プレート付ＬＥＤデイスプレイ。
【請求項７】
請求項１に記載した光幕付ＬＥＤデイスプレイにおいて、光引導プレートの主要視野面のサイドに延伸部が設けられ、その主要視野面と延伸部との間に反射面が設けられ、投射光源の光線を延伸部から入射させて、反射面で反射させて主要視野面に達するように構成したことを特徴とする、ライト・ガイド・プレート付ＬＥＤデイスプレイ。
【考案の詳細な説明】
【技術分野】
【０００１】
本考案は家庭電器、パソコン、通信器材、電子器具設備などの製品へ応用されるＬＥＤデイスプレイである。特にＬＥＤデイスプレイの表示面が光幕効果を生じられるライト・ガイド・プレート付ＬＥＤデイスプレイに関するものである。
【背景技術】
【０００２】
現在、文字と図形を表示する表示モジュールは主に真空蛍光管(Vacuum Fluorescent Display,ＶＦＤ)、エレクトロ-ルミンセント(Electro-Luminescent,ＥＬ)、発光二極管(Light Emitting Diode,ＬＥＤ)と液晶デイスプレイ(Liquid Crystal Display,ＬＣＤ)を含む。上記の各種表示モジュールは各種の製品に応用され、例えばステレオ器材、家電製品、パソコン、通信器材または電子器具の表示コントロールパネルである。
上述した真空蛍光管、エレクトロ-ルミンセントと発光二極管が生じる文字及び図形は皆直接に通過でき、液晶デイスプレイの方はバック光源とあわせて平均的な光度を液晶へ提供する必要がある。
上記のいずれのデイスプレイにおいても、現在の設計は文字と図形の表示作用または光度だけを重視し、例えば上記の特許案において、視覚光度問題を解決するため、バックライトの光引導プレートに対し特定構造の設計を提出された。使用者が観察した表示パネルの視覚効果については、現在各式のデイスプレイにまだ設計の考量に入れていない。そのため本考案は使用者の立場から出発し、画期なＬＥＤデイスプレイを設計したものである。
【考案の開示】
【考案が解決しようとする課題】
【０００３】
本考案の目的の一はＬＥＤデイスプレイの表示パネルの前に光引導プレート(Light Guide Plate)を設置し、異なる色の光源により光引導プレートへ光線を投射し、使用者の視覚方向に異なる色の光幕(Light Screen)を生じさせることが可能な光幕付ＬＥＤデイスプレイを提供することにある。
本考案の目的のその二は、ＬＥＤデイスプレイの表示パネルの前に光引導プレートを設置し、異なる色の光源から異なる時間の元に光引導プレートへ光線を投射し、使用者の視覚方向に動態変化のある色効果を生じさせることが可能な光幕付ＬＥＤデイスプレイを提供することである。
本考案の目的の三はＬＥＤデイスプレイの表示パネルの前に光引導プレートを設置し、色のある光源から光線を光引導プレートへ投射し、光源の光線の色が表示パネルの表面の色と結合して色合い混合効果を生じて、外観の色の効果をあげることが可能な光幕付ＬＥＤデイスプレイを提供することにある。
【課題を解決するための手段】
【０００４】
本考案は、ライト・ガイド・プレート付ＬＥＤデイスプレイにおいて、ある側に表示面があり、文字と図形を提供するＬＥＤデイスプレイと、光を通過でき、ＬＥＤデイスプレイの前に表示面と対向して設置される光引導プレートと、発光部を有し、この発光部が前記光引導プレートに対応し、光線を光引導プレートへ投射できる少なくとも一つの投射光源とからなり、投射光源の光線を光引導プレート内で反射させて光引導プレートを光幕にさせることにより多重光表示効果を生じさせるように構成したことを特徴とするものである。
本考案は前記した光幕付ＬＥＤデイスプレイにおいて、投射光源はＬＥＤランプまたはＳＭＤランプであることを特徴とするものである。
本考案は、前記した光幕付ＬＥＤデイスプレイにおいて、ＬＥＤデイスプレイは回路ボード上に組み立てられ、投射光源が回路ボードと電気的に繋がることを特徴とするものである。
本考案は前記した光幕付ＬＥＤデイスプレイにおいて、ＬＥＤデイスプレイは回路ボード上に組み立てられ、投射光源が回路ボードに挿入されることを特徴とするものである。
本考案は前記した光幕付ＬＥＤデイスプレイにおいて、投射光源の発光部は光引導プレートのサイドと対応する位置に設置し、光線を光引導プレートのサイドから光引導プレートへ射出されるように構成したことを特徴とするものである。
本考案は前記した光幕付ＬＥＤデイスプレイにおいて、光引導プレートの主要視野面のサイドに延伸部が設けられ、その主要視野面と延伸部との間に反射面が設けられ、投射光源の光線を延伸部から入射させて、反射面で反射させて主要視野面に達するように構成したことを特徴とするものである。
【考案の効果】
【０００５】
本考案はＬＥＤデイスプレイの表示パネルの前に光引導プレートを装置し、異なる色の光源により光引導プレートへ光線を投射し、使用者の視覚方向に異なる色の光幕(Light Screen)を生じさせる光幕付ＬＥＤデイスプレイを提供することができる。
本考案は、ＬＥＤデイスプレイの表示パネルの前に光引導プレートを装置し、異なる色の光源で異なる時間の元に光引導プレートへ光線を投射し、使用者の視覚方向に動態変化のある色効果を生じさせる光幕付ＬＥＤデイスプレイを提供することができる。
本考案はＬＥＤデイスプレイの表示パネルの前に光引導プレートを装置し、色のある光源は光線を光引導プレートへ投射し、光源の光線の色が表示パネルの表面の色と結合して色合い混合効果を生じて、外観の色の効果をあげる光幕付ＬＥＤデイスプレイを提供することができる。
【考案を実施するための最良の形態】
【０００６】
以下、添付図面を参照して本考案の好適な実施の形態を詳細に説明する。
図１を参考して説明する。本考案が掲示するＬＥＤデイスプレイ１０というのは家電製品２０に組み立てられるもので、文字或いは図形を表示する機能を有する。本考案が掲示したＬＣＤデイスプレイ１０は図示した製品の他に、パソコン設備や電子器具または通信設備などに適用することができる。
【０００７】
図２を参考して説明する。ＬＣＤデイスプレイ１０において、一側に文字と図形を表示できる表示面１２が形成され、表示面１２と相対するもう一側に複数の挿入足１４がある。その複数の挿入足１４が回路ボード１６に挿入することにより、回路ボード１６の回路とつながり、表示面１２に文字と図形とを表示させる。
光引導プレート３０は家電製品２０の外殻に組み付けられ、ＬＥＤデイスプレイ１０の表示面１２と対向する。注意すべきは光引導プレート３０が光を通過できる材質で作られることである。また、光引導プレート３０を外殻に組み付ける技術については、嵌め込み等の公知の組み付け技術を適用できるが、光引導プレート３０の設置するための構造や技術は本案の技術的特徴ではないので詳しくは述べない。
投射光源４０には発光部４２と挿入足部４４とがある。挿入足部４４は回路ボード１６と電気的に繋がっている。または挿入足部４４を直接に回路ボード１６に挿入して電気的に繋がっている。発光部４２は光引導プレート３０の一側で、光線を光引導プレート３０内に投射できるように配置して組み込まれる。こうして投射光源４０からの光線を光引導プレート３０へ投射できるようにする。
【０００８】
現在の光源製品についていうと、上記の投射光源４０は一般形態のＬＥＤランプでも良く、或いは図３に示すようなＳＭＤランプ５０でも良い。ＳＭＤランプ５０も同様に回路ボード１６と電気的に繋がる。それにＳＭＤランプ５０の発光部５２は同様に光引導プレート３０の一側に設置して組み付ける。また、光引導プレート３０の一側に配置した投射光源４０はＬＥＤランプ或いはＳＭＤランプともに複数を持ってもよく、異なる光源は異なる色の光線を持てる。
上記の実施例に、投射光源４０から発光された光線を光引導プレート３０内に投射し、このとき光線が光引導プレート３０内に反射して通過することから、光引導プレート３０が明るい色のある光幕を形成することになる。光引導プレート３０に複数の違う色の投射光源４０を配置すれば、そして複数の投射光源４０の光線投射順番を変換させると、または同時に光線を投射すると、光線の順番変化或いは混合の下に、光引導プレート３０が表示する光幕効果に異なる表示効果を持たせることができる。
【０００９】
図４を参考して説明する。光引導プレート３０を通過する光線４１はある程度反射しながら進行する。ＬＣＤデイスプレイ１０の表示面１２を照らし、このときの光線４１と表示面１２の表面色との間で色の混合作用が生じるので、故に表示面１２から再び反射する光線が光引導プレート３０を通過してから、異なる色効果が生じる。同図には詳しい光線４１の進行状態を述べるため、光線４１が異なる界面を経て生じる屈折現象を無視した。光線４１の屈折現象を無視しても光引導プレート３０の光幕形成効果に影響を及ぼさない。
【００１０】
投射光源４０が提供する光線４１を確実に反射、集光させるため、エッチングまたは他の加工方法などにより、光引導プレート３０の表面に伝導構造３１を作り出すれば、光幕効果をより平均化させることができると共に、それに光源の伝導率を上げることが可能となる。
【００１１】
上記したように投射光源４０を光引導プレート３０の一側に配置する構造の他に、投射光源４０は別の形態で光引導プレート３０に配置できる。
図５を参考して説明する。光引導プレート３０の両側に、回路ボード１６へ向けて延伸部３２を形成する。回路ボード１６に組み付けられた投射光源４０の発光部４２は光引導プレート３０の延伸部３２へ向けて設置する。これにより延伸部３２と光引導プレート３０との主要視野面３４に交差角度を持つため、延伸部３２と主要視野面３４との間に反射面３６を設けておくとよい。これによって延伸部３２を進行した投射光源４０の光線が反射面３６で反射して主要視野面３４へ投射でき、光引導プレート３０はそれで光幕の効果を発揮することになる。上記したように反射面３６は斜面状に形成したり、或いは曲面状に形成したりしてもよく、更にその表面に光線遮蔽の逆光シートか逆光貼り紙を貼り、光線の反射効果を上げるようにしてもよい。
【００１２】
上記の各実施例にあった構造は皆ＬＥＤデイスプレイ１０の表示面１２の前に光引導プレート３０を配置することで光幕効果を得ることが出来る。実際に使用する時には、調節器と組み合わせて投射光源４０とＬＥＤデイスプレイ１０の光度をコントロールすることで、所望の表示色合いを達成する。
言い換えれば、本考案に述べていた光引導プレート３０は、異なる光線透過色を提供するものであり、よって使用者が本考案を設置した製品を使用すると、視覚上において色の変化を得ることができる。従来のデイスプレイは本考案のような光幕効果を持たないので、本考案のデイスプレイと従来品デイスプレイとは著しく違う。
【図面の簡単な説明】
【００１３】
【図１】本考案において家電製品に応用される局所外見図である。
【図２】本考案の結合構造概略図である。
【図３】本考案においてＳＭＤランプを使用する構造概略図である。
【図４】本考案の光線行進状態概略図である。
【図５】本考案において他の実施例の構造概略図である。
【符号の説明】
【００１４】
１０    ＬＥＤデイスプレイ
１２    表示面
１４    挿入足
１６    回路ボード
２０    家電製品
３０    光引導プレート
３１    伝導構造
３２    延伸部
３４    主要視野面
３６    反射面
４０    投射光源
４１    光線
４２    発光部
４４    挿入足部
５０    ＳＭＤ光源
５２    発光部
【図１】
0003103224.tif 000003
【図２】
0003103224.tif 000004
【図３】
0003103224.tif 000005
【図４】
0003103224.tif 000006
【図５】
0003103224.tif 000007